【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
撮影設定項目の設定値を、基準値と少なくとも１つの補正値とに設定して複数の画像を取得するブラケティング撮影が可能な撮像装置であって、
ユーザ操作に応じて前記ブラケティング撮影における撮影枚数を設定する設定手段と、
ユーザ操作に応じた第１の操作信号と第２の操作信号により、前記ブラケティング撮影における補正値を、前記基準値に対するプラス側の値及びマイナス側の値を含む所定範囲内で変更する変更手段と、を備え、
前記撮影枚数がＮ枚（Ｎは３以上の整数）の場合は前記基準値に対してプラスとマイナスの側に少なくとも１つずつの計Ｎ−１個の補正値が設定され、前記変更手段は、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２枚の場合は前記基準値と１つの補正値が設定され、前記変更手段は、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる、ことを特徴とする撮像装置。
【請求項２】
前記撮影枚数が３枚の場合、前記基準値に対してプラスとマイナスの側に１つずつの計２つの補正値が設定され、前記変更手段は、前記第１の操作信号に応じて前記補正幅を順次に増加させ、前記第２の操作信号に応じて前記補正幅を順次に減少させ、
前記撮影枚数が２枚の場合、前記変更手段は、前記第１の操作信号に応じて前記補正値を前記所定範囲内で順次に増加させ、前記第２の操作信号に応じて前記補正値を前記所定範囲内で順次に減少する、ことを特徴とする請求項１に記載の撮像装置。
【請求項３】
ユーザ操作に応じて、前記ブラケティング撮影における撮影順序として、前記基準値を用いた撮影、前記基準値に対してプラス側の補正値を用いた撮影、前記基準値に対してマイナス側の補正値を用いた撮影の順序を設定する順序設定手段を更に備え、
前記撮影枚数が２枚の場合は、前記順序設定手段で設定された順序のうち、存在しない補正値での撮影を飛ばした順番で前記ブラケティング撮影を行う、ことを特徴とする請求項１または２に記載の撮像装置。
【請求項４】
前記設定手段により前記撮影枚数が３枚から２枚に変更された場合、前記撮影枚数が３枚のときの補正値のうち前記ブラケティング撮影における撮影順序で先に使用される補正値を、前記撮影枚数が２枚のときの補正値として設定する手段を更に備える、ことを特徴とする請求項１乃至３のいずれか１項に記載の撮像装置。
【請求項５】
前記設定手段により前記撮影枚数が３枚から５枚に変更された場合、前記基準値のプラスとマイナスの両側に１つずつ補正値が追加され、追加された各補正値と前記基準値との差は、前記撮影枚数が３枚のときの前記補正幅の２倍となるように設定されることを特徴とする請求項１乃至４のいずれか１項に記載の撮像装置。
【請求項６】
ユーザ操作に応じて前記基準値を設定する基準値の設定手段をさらに備えることを特徴とする請求項１乃至５のいずれか１項に記載の撮像装置。
【請求項７】
前記ブラケティング撮影における前記撮影設定項目は、露出、シャッタスピード、ＩＳＯ、ホワイトバランス、ストロボ、フォーカス、絞り、ＨＤＲのうちの少なくとも一つであることを特徴とする請求項１乃至６のいずれか１項に記載の撮像装置。
【請求項８】
前記撮影枚数がＮ枚の場合、前記変更手段は、前記補正幅が０である場合は、前記他方の操作信号があっても前記補正幅を変更しないことを特徴とする請求項１乃至７のいずれか1項に記載の撮像装置。
【請求項９】
撮影設定項目の設定値を、基準値と少なくとも１つの補正値とに設定して複数の画像を取得するブラケティング撮影が可能な撮像装置の制御方法であって、
設定手段が、ユーザ操作に応じて前記ブラケティング撮影における撮影枚数を設定する工程と、
変更手段が、ユーザ操作に応じた第１の操作信号と第２の操作信号により、前記ブラケティング撮影における補正値を、前記基準値に対するプラス側の値及びマイナス側の値を含む所定範囲内で変更する工程とを有し、
前記撮影枚数がＮ枚（Ｎは３以上の整数）の場合は前記基準値に対してプラスとマイナスの側に少なくとも１つずつの計Ｎ−１個の補正値が設定され、前記変更する工程では、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２の場合は前記基準値と１つの補正値が設定され、前記変更する工程では、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる、ことを特徴とする撮像装置の制御方法。
【請求項１０】
撮影設定項目の設定値を、基準値と少なくとも１つの補正値とに設定して複数の画像を取得するブラケティング撮影が可能な撮像装置のコンピュータに、
ユーザ操作に応じて前記ブラケティング撮影における撮影枚数を設定する工程と、
ユーザ操作に応じた第１の操作信号と第２の操作信号により、前記ブラケティング撮影における補正値を、前記基準値に対するプラス側の値及びマイナス側の値を含む所定範囲内で変更する工程と、を実行させるためのプログラムであって、
前記コンピュータに、
前記撮影枚数がＮ枚（Ｎは３以上の整数）の場合は前記基準値に対してプラスとマイナスの側に少なくとも１つずつの計Ｎ−１個の補正値を設定させ、前記変更する工程では、前記コンピュータに、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２の場合は前記基準値と１つの補正値を設定させ、前記変更する工程では、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる、ことを実行させるためのプログラム。
【請求項１１】
請求項１０に記載されたプログラムを格納したコンピュータ読み取り可能な記憶媒体。
【手続補正２】
【補正対象書類名】明細書
【補正対象項目名】０００９
【補正方法】変更
【補正の内容】
【０００９】
上記目的を達成するための本発明の一態様による撮像装置は以下の構成を備える。すなわち、
撮影設定項目の設定値を、基準値と少なくとも１つの補正値とに設定して複数の画像を取得するブラケティング撮影が可能な撮像装置であって、
ユーザ操作に応じて前記ブラケティング撮影における撮影枚数を設定する設定手段と、
ユーザ操作に応じた第１の操作信号と第２の操作信号により、前記ブラケティング撮影における補正値を、前記基準値に対するプラス側の値及びマイナス側の値を含む所定範囲内で変更する変更手段と、を備え、
前記撮影枚数がＮ枚（Ｎは３以上の整数）の場合は前記基準値に対してプラスとマイナスの側に少なくとも１つずつの計Ｎ−１個の補正値が設定され、前記変更手段は、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２枚の場合は前記基準値と１つの補正値が設定され、前記変更手段は、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる。